(57)【要約】【課題】装着時の感触が悪い材料を受尿部に用いることなく排尿の吸引を可能にするとともに、簡単に装着することができる排尿支援装置を提供する。【解決手段】導尿管１２を吸気装置１４で減圧することにより、受尿器１１内の排尿を、導尿管１２を介して貯尿タンク１３に導く排尿支援装置１０であって、受尿器１１は、小孔２０ｃを有するコンドーム２０と、該小孔２０ｃから筒体２１ａが貫通してコンドーム２０外側に突出し、鍔部２１ｂがコンドーム２０内側に挿入される内側部材２１と、鍔部２１ｂとの間でコンドーム２０先端を両面から挟着し、貫通孔２３の一端が筒体２１に嵌合され、貫通孔２３の他端は導尿管１２と液密に流路接続され、さらに貫通孔２３と連通するとともに逆流防止弁２５を介して吸気流路３０が形成される外側部材２２とを備える構成とする。【選択図】図１
0003198994.tif 000002
【実用新案登録請求の範囲】
【請求項１】
男性性器に装着する受尿器と、貯尿タンクとが、導尿管で流路接続され、前記導尿管を吸気装置により減圧することにより、受尿器で受けた排尿を、前記導尿管を介して吸引して貯尿タンクに導く排尿支援装置であって、
前記受尿器は、袋状で伸縮性を有し、先端に小孔が形成されたコンドームと、
前方が筒体で後方に鍔部が形成され、前記コンドーム先端の小孔を前記筒体が貫通してコンドームの外側に突出するとともに前記鍔部がコンドーム内面に密着するように前記コンドームの内側に挿入される内側部材と、
前記内側部材の前記筒体に対して嵌合可能な貫通孔が形成され、前記内側部材の鍔部との間で前記コンドーム先端を両面から挟着するようにして前記内側部材の前記筒体に前記貫通孔の一端が嵌合され、前記貫通孔の他端は前記導尿管と液密に流路接続され、さらに前記貫通孔に連通されるとともに逆流防止弁を介して外気が流入される吸気流路が形成される外側部材とを備えた排尿支援装置。
【請求項２】
前記コンドームが男性性器に装着されたときに、前記内側部材と前記男性性器との中間となる位置で前記コンドームの外面に接するように取り付けられ、前記内側部材と前記男性性器とが接触しないように前記コンドームを縮径する縮径部材とを備えた請求項１に記載の排尿支援装置。
【請求項３】
前記外側部材の吸気流路はらせん状に形成される請求項１または請求項２に記載の排尿支援装置。
【請求項４】
前記外側部材には、前記貫通孔に流れ込んだ排尿を検知する排尿センサと、前記排尿センサによる排尿検知信号を発する発信機とが取り付けられ、
前記吸気装置には、排尿検知信号を受信する受信機と、受信機が排尿検知信号を受信したときに前記吸気装置を作動させる制御部とが取り付けられる請求項１〜請求項３のいずれかに記載の排尿支援装置。
【考案の詳細な説明】
【技術分野】
【０００１】
本考案は、人が排尿したことを検知するとともに、強制的に吸引して排尿を回収する排尿支援装置に関し、特に男性用の排尿支援装置に関する。
【背景技術】
【０００２】
自力でトイレに行って排尿することが困難な病人、障害者、寝たきり老人のような患者等（以下「患者」と称する）に対する介護負担を軽減するために、排尿を検知するセンサが取り付けられた尿受け器（受尿器ともいう）を患者に装着し、患者の排尿をセンサで検出すると、吸気装置（真空ポンプ等）によって強制的に尿を吸引して回収する排尿支援装置が提案されている（特許文献１参照）。
【０００３】
上記特許文献に記載されている排尿処理装置のうち男性用のものでは、男性性器（ペニス）が挿入可能な筒状体を有し、かつ、吸引時における減圧状態でも変形しない定形性硬質プラスチック材等からなる受尿部が用いられている。この受尿部は、一端（基端側）が人体に接する面である口部、他端（先端側）が尿を吸引して畜尿器に導く導入管が接続される接続端としてある。
【０００４】
上記受尿部の口部の周縁には外方に延設されたフランジ状の係止部が設けられ、この係止部には柔軟質材が接着された（人体に接するための）保持部が設けられるとともに、空気を取り込むための凹溝が形成されており、保持部を人体に接面させた状態で吸引したときに、凹溝から空気が持続的に取り込まれることで尿の吸引が可能となるようにしている。また、患者が着用する男性用下着中央部の開口を利用して、この開口から受尿部の筒状部分を突出させ、係止部を下着により保持させるようにして受尿部を患者に装着できるようにしてある。
【０００５】
センサは受尿部の接続端近傍に設けられており、排尿を検知するとタイマが作動するとともに吸気装置を駆動して吸引が開始され、タイマで設定した一定時間の吸引を続けた後に吸気装置による吸引が終了するようにしてある。
【先行技術文献】
【特許文献】
【０００６】
【特許文献１】特開２０００−１８５０６８号公報
【考案の概要】
【考案が解決しようとする課題】
【０００７】
上述した従来の排尿支援装置では、吸気装置により排尿を吸引するためには、受尿部の内部を継続して吸引する必要上、受尿部には定形性硬質プラスチック材を用いて、吸引時における減圧状態でも変形しないようにすることで、保持部に設けた凹溝から受尿部に空気が取り込まれるようにしている。その結果、定形性硬質プラスチック材からなる受尿部に患者の男性性器が直接接触したり離れたりするようになるため、患者にとっては装着時の感触が決してよいものではなかった。
また、装着時の尿漏れを防ぐため、保持部を人体に接面させるときには、各個人に応じて調整しながら取り付ける必要がある。
【０００８】
さらに、一般に人体に接触する部分を有する医療器具等は、接触部分の人体への影響や安全性を確認する必要がある。具体的には、安全性の観点から監督官庁による製造承認や許可を受けたり、試験データを提出したりする必要があり、商品化するには安全確認のための手間を要する。
【０００９】
そこで、本考案は、定形性硬質プラスチック材のような装着時の感触が悪い材料を受尿部に用いることなく、それでいて排尿の吸引を可能にした排尿支援装置を提供することを目的とする。
また、本考案は、調整作業なしに誰にでも簡単に装着することができる排尿支援装置を提供することを目的とする。
さらに、本考案は、人体に接する部分については、既に安全確認された部材を用いるようにして、新たに人体に接する部分をなくすことにより、特別な安全審査等を受けることなく安全に使用することのできる排尿支援装置を提供することを目的とする。
【課題を解決するための手段】
【００１０】
上記課題を解決するためになされた本考案の排尿支援装置は、男性性器に装着する受尿器と、貯尿タンクとが、導尿管で流路接続され、前記導尿管を吸気装置により減圧することにより、受尿器で受けた排尿を、前記導尿管を介して吸引して貯尿タンクに導く排尿支援装置であって、前記受尿器は、袋状で伸縮性を有し、先端に小孔が形成されたコンドームと、前方が筒体で後方に鍔部が形成され、前記コンドーム先端の小孔を前記筒体が貫通してコンドームの外側に突出するとともに前記鍔部がコンドーム内面に密着するように前記コンドームの内側に挿入される内側部材と、前記内側部材の前記筒体に対して嵌合可能な貫通孔が形成され、前記内側部材の鍔部との間で前記コンドーム先端を両面から挟着するようにして前記内側部材の前記筒体に前記貫通孔の一端が嵌合され、前記貫通孔の他端は前記導尿管と液密に流路接続され、さらに前記貫通孔に連通されるとともに逆流防止弁を介して外気が流入される吸気流路が形成される外側部材とを備えるようにしている。
【００１１】
本考案では、伸縮性を有する市販のコンドームを、排尿を受ける受尿器の主要部に使用するものである。コンドームには、予め先端に小孔を設けておく。そしてコンドームの根元側（後方）から受尿器の内側部材を挿入し、コンドームに形成した小孔から内側部材の筒体が外側（前方）に突出するように貫通させ、この突出した筒体部分に外側部材の貫通孔の一端側を嵌合させる。このようにすることで、外側部材と内側部材の鍔部との間でコンドーム先端を挟着するようにして、コンドームと内側部材とが液密となるようにする。さらに、外側部材の貫通孔の他端側は導尿管に流路接続する。
また、導尿管が減圧されたときに、外気が吸気流路に取り付けてある逆流防止弁を介して吸気流路から外側部材の貫通孔に対して流入可能となるようにしてある。このような状態でコンドームを男性性器に装着する。
【考案の効果】
【００１２】
本考案によれば、伸縮性を有する柔軟なコンドームを受尿器として使用するので、患者にとっては、定形性硬質プラスチック材製の受尿器に比して装着時の不快感が少なくなる。また、コンドームは伸縮自在であることから、調整作業が不要で誰にでも簡単に装着することができる。また、市販のコンドームを使用するため、使い捨てが可能になり衛生的である。しかも交換部分がコンドームのみとなるので、長期間の使用であってもランニングコストを抑えることができる。
【００１３】
上記考案において、コンドームが男性性器に装着されたときに、内側部材と男性性器との中間となる位置で前記コンドームの外面に接するように取り付けられ、前記内側部材と前記男性性器とが接触しないように前記コンドームを縮径する縮径部材とを備えるようにしてもよい。
これによれば、コンドーム内で内側部材と男性性器とは縮径部材によって非接触とすることができるので、コンドーム内で男性性器が接する部分はコンドームの内面だけになる。コンドームは直接人体（男性性器）に装着されるものとして安全性確認済のものが市販されているので、そのような市販品を用いることによって、新たに特別な安全審査等を受けることなく安全に装着することができる。
【００１４】
上記考案において、前記外側部材の前記吸気流路はらせん状に形成してもよい。
これにより、吸気装置を作動したときに吸気流路から吸い込まれた外気は内側部材の筒体内で渦巻状の乱流になるので、吸気用開口よりもコンドームに近い側に残る排尿についてもある程度吸引することができる。
【００１５】
上記考案において、前記外側部材には、前記貫通孔に流れ込んだ排尿を検知する排尿センサと、前記排尿センサによる排尿検知信号を発する発信機とが取り付けられ、前記吸気装置には、排尿検知信号を受信する受信機と、受信機が排尿検知信号を受信したときに前記吸気装置を作動させる制御部とが取り付けられるようにしてもよい。
これにより、装置に備えたセンサで排尿を検出して、自動的に排尿を吸引させることができる。なお発信機と受信機の通信手段は、無線でもよいし有線でもよい。
【図面の簡単な説明】
【００１６】
【図１】本考案の一実施形態である排尿支援装置を示す構成図。
【図２】本考案で使用するコンドームの構成を示す図。
【図３】内側部材を示す図であって、図３（ａ）は斜視図、図３（ｂ）は鍔部側から見た正面図。
【図４】外側部材を示す斜視図。
【図５】本考案の他の一実施形態である排尿装置の受尿器を示す模式的断面図。
【図６】本考案の他の一実施形態である排尿装置の受尿器を示す模式的断面図。
【図７】本考案の他の一実施形態である排尿装置の受尿器を示す模式的断面図。
【図８】本考案の他の一実施形態である排尿装置の受尿器を示す模式的断面図。
【考案を実施するための形態】
【００１７】
以下、本考案の実施形態について図面を用いて説明する。図１は本考案の一実施形態である排尿支援装置を示す構成図である。この排尿支援装置１０は、受尿器１１と、導尿管１２と、貯尿タンク１３と、吸気装置１４と、コントローラ１５とからなる。
【００１８】
受尿器１１は、袋状で伸縮性を有するコンドーム２０と、内側部材２１と、外側部材２２と、縮径部材４０とからなる。コンドーム２０は安全性確認済の市販品が用いられ、図２に示すように、筒状の本体部分２０ａと、先端の中央にある突起部分２０ｂとからなる。本考案で受尿器１１として使用する際には、突起部分２０ｂをカットして小孔２０ｃを形成するようにしてある。
【００１９】
内側部材２１は、図１および図３に示すように、前方の筒体２１ａと後方の鍔部２１ｂとからなり、前後に貫通する貫通孔２１ｃが形成されている。この貫通孔２１ｃは、排尿が流れる流路の一部となる。筒体２１ａには側壁に吸気用開口２１ｄが設けてあり、後述する吸気流路３０と連通可能にしてある。
【００２０】
外側部材２２は、図１および図４に示すように、貫通孔２３により流路が形成される本体部２４、逆流防止弁２５、排尿センサ２６、発信機２７が一体に支持されるように構成される。
本体部２４は、導電性の第一本体部２４ａ、絶縁性の第二本体部２４ｂ、導電性の第三本体部２４ｃが液密に積層された構造となっており、第一本体部２４ａと第三本体部２４ｃとが対向電極となるようにして、本体部２４が排尿センサ２６のセンサ部２６ａとして機能するようにしてある。
排尿センサ２６は、本実施形態では排尿の有無を電気的に検知する方法を採用しており、センサ部２６ａと電位差検出回路２６ｂとにより構成される。
そしてセンサ部２６ａからの電位差信号（本体部２４の第一本体部２４ａと第三本体部２４ｃとの電位差）が電位差検出回路２６ｂに送信されて、予め設定されている閾値との比較により排尿の有無を判定し、排尿があると判定されたときは、発信機２７から排尿検知信号が発信されるようにしてある。
【００２１】
また、本実施形態では、第一本体部２４ａと第三本体部２４ｃとは導電性とともにゴム弾性も有するようにしてある。すなわち、これらは導電性ゴムからなり、内側部材２１の筒体２１ａが第一本体部２４ａの貫通孔２３に挿入されとき、または、導尿管１２と接続するための嵌合部材２９が第三本体部２４ｃの貫通孔２３に挿入されたときに、弾性により密着するようにしてある。なお、導電性ゴムを採用せず金属等の導体を採用する場合は、筒体２１ａと第一本体部２４ａの貫通孔２３との間の接続、および、嵌合部材２９と第三本体部２４ｃの貫通孔２３との接続は、例えば螺合等で接続すればよい。
【００２２】
さらに、内側部材２１と嵌合する第一本体部２４ａには、外周面から貫通孔２３に達するらせん状の吸気流路３０が形成してあり、内側部材２１の筒体２１ａを第一本体部２４ａに嵌合させた状態で吸気流路３０の内側端が吸気用開口２１ｄと連通するようにしてある。吸気流路３０の外側端には逆流防止弁２５が取り付けてあり、貫通孔２３が減圧されたときには外気を吸入することができるが、貫通孔２３が減圧されていないときは逆流防止弁２５によって閉じられることになり、排尿が吸気流路３０を逆流して外部に流出しないようになっている。
【００２３】
縮径部材４０は図１に示すようにリング形状にしてあり、縮径部材４０の孔部分の内径は、内側部材２１の鍔部２１ｂの径よりも小さくしてある。これを内側部材２１の後側に取り付けることにより、図のように括れ部分が形成されるようにしてある。
なお、縮径部材４０は、図示したリング状の定形物に限らず、括れ部分を形成できるとともに排尿が内側部材２１の貫通孔２１ｃに流れるものであればよく、例えば紐や輪ゴム等でリング形状をなすようにしてもよい。
【００２４】
このように、コンドーム２０に縮径部材４０を取り付けることによって、コンドーム２０を男性性器Ａに装着した状態では内側部材２１と男性性器Ａとの間に縮径部材４０が介在するようになるので、男性性器Ａはコンドーム２０の内面とだけ接することになり、内側部材２１とは決して接触しない。したがって安全性確認済のコンドーム２０を使用することにより、新たに特別な安全審査等を行うことなく安全に使用することができる。
【００２５】
導尿管１２は吸引時における減圧状態でも変形しない性質を有する管体が使用され、一端が嵌合部材２９を介して外側部材２２と流路接続され、他端が貯尿タンク１３に連結される。
貯尿タンク１３は、減圧ポンプ（真空ポンプ等）からなる吸気装置１４により減圧することができるようにしてある。この減圧ポンプ（吸気装置）１４は、コントローラ１５によって作動や停止の制御が行われる。
コントローラ１５には、発信機２７からの排尿検知信号を受信する受信機２８が取り付けてあり、排尿検知信号を無線で受信することにより、コントローラ１５によって吸引動作が開始され、一定時間の吸気が行われる。なお、本実施形態では無線信号を採用しているが、有線で排尿センサ２６からの信号を受信するようにしてもよい。なお、本実施形態では排尿センサ２６からの排尿検出信号のみで吸引動作を開始させているが、別途手動操作ボタンを設けて、自己操作可能な患者や介護者による手動操作によっても吸引できるようにしてもよい。
【００２６】
次に、上述した排尿支援装置１０の使用動作について説明する。
予め先端に小孔２０ｃを形成したコンドーム２０の内側に内側部材２１を挿入し、小孔２０ｃから内側部材２１の筒体２１ａを突出させて縮径部材４０を取り付けた後に、患者の男性性器Ａに装着する。コンドーム２０は伸縮性を有するので、患者の男性性器Ａの大きさによらず、誰にでも排尿が漏れないように装着することができる。
【００２７】
続いて、外側部材２２の一端を、筒体２１ａに嵌合させてコンドーム２０の先端を鍔部２１ｂとの間で挟着する。また、外側部材２２の他端に嵌合部材２９を嵌合させて、これに導尿管１２を接続することにより、導尿管１２を介して受尿器１１と貯尿タンク１３とを流路接続する。
【００２８】
そして排尿センサ２６を作動させる。コンドーム２０内に患者が排尿すると、排尿は内側部材２１の貫通孔２１ｃを経て外側部材２２の貫通孔２３に入る。このとき排尿センサ２６のセンサ部２６ａにより排尿が検出され、発信機２７から排尿検知信号が発信される。この排尿検知信号をコントローラ１５の受信機２８が受信すると、コントローラ１５により減圧ポンプ１４が所定時間作動し、導尿管１２を介して吸引動作が行われる。
このとき、逆流防止弁２５が開いて外気が吸気流路３０を介して吸引されるようになり、吸引動作が持続する。
【００２９】
本実施形態では吸気流路３０をらせん状にしているので、吸引によって内側部材２１の吸気用開口２１ｄ近傍で渦巻状の乱流が形成されるようになり、吸気用開口２１ｄよりもコンドーム２０に近い側に残る排尿についても吸引されやすくなる。
【００３０】
以上、本考案を実施形態に基づいて説明したが、本考案はこれらに限らず、本考案の趣旨を逸脱しない範囲で適宜変形実施することができる。
【００３１】
次に、排尿センサとして温度センサを用いた変形例について説明する。
図５は本考案の他の一実施形態である排尿支援装置の受尿器５０の断面を示す模式図である。
この受尿器５０は図１における受尿器１１に代えて用いることができるものであり、図１と同じ構成部分については同符号を付すことにより、説明の一部を省略する。
受尿器５０の本体部５１は全体がゴム弾性を有する１つの部品で形成してある。なお、本実施形態では導電性を有する必要はない。排尿センサ５２は温度センサ５２ａと検出回路５２ｂとにより構成される。本体部５１には外周面から貫通孔２３に至る細孔が形成してあり、この細孔に温度センサ５２ａを挿通するようにしてある。なお、細孔から排尿が漏れないようにするため、温度センサ５２ａは細孔よりも太くして、さらに封止剤で差込口を封印してある。これ以外については受尿器１１と同様の構成である。
【００３２】
受尿器５０では、排尿が貫通孔２３に流れ込んだときの温度変化を温度センサ５２ａで検知し、検出回路５２ｂで閾値以上の温度変化があったと判定した場合に、発信機２７から排尿検知信号が送信される。これ以降は、上記図１に係る説明で述べたように、コントローラ１５の受信機２８が信号を受信すると、コントローラ１５により減圧ポンプ１４が所定時間作動し、導尿管１２を介して吸引動作が行われる。
このとき、逆流防止弁２５が開いて外気が吸気流路３０を介して吸引されるようになり、吸引動作が持続されて排尿が貯尿タンク１３に送られる。
【００３３】
図６は本考案の他の一実施形態である排尿装置の受尿器６０の断面を示す模式図である。この受尿器６０も、図１における受尿器１１に代えて用いることができるものであり、図１と同じ構成部分については同符号を付すことにより、説明の一部を省略する。
受尿器６０では、図１における受尿器１１の外側部材２２の本体部２４に代えて、本体部６２が使用されている。本体部６２は、導電性の第一本体部６２ａ、絶縁性の第二本体部６２ｂ、導電性の第三本体部６２ｃが液密に積層された構造にして、第一本体部６２ａと第三本体部６２ｃとが対向電極となるようにし、本体部６２が排尿センサ２６のセンサ部２６ａとして機能するようにしてある。
図１の受尿器１１との違いは、導電性の第一本体部６２ａを薄くして、絶縁性の第二本体部６２ｂを厚くすることにより、らせん状の吸気流路３０を第二本体部６２ｂに形成するようにしている。そして内側部材２１に代えて、筒体６１ａを短くして吸気用開口をなくした内側部材６１を用いるようにしている。なお、鍔部２１ｂと貫通孔２１ｃについては図１と同じ構成とする。このようにすることで、吸気流路３０は吸気用開口を介さずに直接貫通孔２３と連通することになり、図１のように吸気流路３０と吸気用開口２１ｄとの位置合わせを行う必要がなくなる。
【００３４】
図７は本考案の他の一実施形態である排尿装置の受尿器７０の断面を示す模式図である。この受尿器７０も、図１における受尿器１１に代えて用いることができるものであり、図１と同じ構成部分については同符号を付すことにより、説明の一部を省略する。
受尿器７０では、リング状の縮径部材４０に代えて、前方が筒体４１ａで後端に環状部４１ｂが形成された縮径部材４１が用いられている。この縮径部材４１は、環状部４１ｂがコンドーム２０の外面に接して縮径するとともに、筒体４１ａの前端が外側部材２２の本体部２４（第一本体部２４ａ）に嵌合することにより安定して支持できるようにしてある。
【００３５】
図８は本考案の他の一実施形態である排尿装置の受尿器８０の断面を示す模式図である。この受尿器８０は、図６の受尿器６０（図１の受尿器１１でもよい）に代えて用いることができるものであり、図１，６と同じ構成部分については同符号を付すことにより、説明の一部を省略する。
受尿器８０では、吸気流路３０に代えて、直線状の吸気流路８１と、これを延長した延長流路８２とが形成されている。このようにすることで、貫通孔２３のコンドーム２０に近い側に残る排尿についても吸引されやすくなる。
【００３６】
また、図示は省略するが、他の変形例としては次のようなものがある。
内側部材２１の鍔部２１ｂを椀状に湾曲させて、排尿を貫通孔２１ｃ，２３に流れやすくするようにしてもよい。
排尿センサ２６のセンサ部分には電極間の電位差を検出するものと、温度センサを用いるものとを挙げて説明したが、温度センサに代えて湿度センサを用いてもよい。
排尿センサ２６からの排尿検知信号は無線による発信機２７、受信機２８によって送受信するようにしたが、導尿管１２と並行に信号線を配置して有線で信号を送信するようにしてもよい。
吸気流路３０は、らせん状に形成することが望ましいが、単に直線状にしても排尿支援装置として十分に機能させることができる。
また、上記の実施形態においては、導尿管の減圧に際し、貯尿タンクを介して吸気装置で減圧するようにしたが、吸気とともに液体も吸引できる吸気装置（ポンプ）を用いるようにすれば、導尿管に直接吸気装置を接続することもできる。
【産業上の利用可能性】
【００３７】
本考案は、患者の排尿処理を支援する排尿支援装置として利用することができる。
【符号の説明】
【００３８】
１０  排尿支援装置
１１  受尿器
１２  導尿管
１３  貯尿タンク
１４  減圧ポンプ（吸気装置）
１５  コントローラ
２０  コンドーム
２０ｃ  小孔
２１  内側部材
２１ａ  筒体
２１ｂ  鍔部
２１ｃ  貫通孔
２１ｄ  吸気用開口
２２  外側部材
２３  貫通孔
２４  本体部
２４ａ  第一本体部（導電性）
２４ｂ  第二本体部（絶縁性）
２４ｃ  第三本体部（導電性）
２５  逆流防止弁
２６  排尿センサ
２６ａ  センサ部
２６ｂ  電位差検出回路
２７  発信機
２８  受信機
３０  吸気流路
４０  縮径部材
４１  縮径部材
４１ａ  筒体
４１ｂ  環状部
５０  受尿器
５１  本体部
５２  排尿センサ
５２ａ  温度センサ
５２ｂ  検出回路
６０  受尿器
６２  本体部
６２ａ  第一本体部（導電性）
６２ｂ  第二本体部（絶縁性）
６２ｃ  第三本体部（導電性）
７０  受尿器
８０  受尿器
８１  吸気流路
８２  延長流路
Ａ  男性性器（ペニス）
【図１】
0003198994.tif 000003
【図２】
0003198994.tif 000004
【図３】
0003198994.tif 000005
【図４】
0003198994.tif 000006
【図５】
0003198994.tif 000007
【図６】
0003198994.tif 000008
【図７】
0003198994.tif 000009
【図８】
0003198994.tif 000010